(57)【要約】      （修正有）【課題】装飾部材によって特定の世界観を構築し、遊技者の遊技意欲を高める。【解決手段】装飾部材は、右側装飾部Ｌ２と、左側装飾部Ｌ１と、上方であって右側装飾部と左側装飾部の間に亘って設けられる上装飾部Ｌ３と、を備え、右側装飾部Ｌ２は、左右方向に向かって形成される複数の段部と、前方に向かって膨出する膨出部と、右第１膨出部Ｌ２ａと右第２膨出部Ｌ２ｂとの間に形成される右絞り部Ｌ２３と、を有し、左側装飾部Ｌ１は、左右方向に向かって形成される複数の段部と、前方に向かって膨出する膨出部と、左第１膨出部Ｌ１ａと左第２膨出部Ｌ１ｂとの間に形成される左絞り部Ｌ１３と、を有し、上装飾部は、下方に向かって膨出する上第１膨出部Ｌ３１及び上第２膨出部Ｌ３１とこれらの間に形成される上絞り部Ｌ３３と、を有し、右側装飾部Ｌ２、左側装飾部Ｌ１、及び上装飾部Ｌ３により囲まれた遊技結果表示領域を備えてある。【選択図】図４
2019005441.tif 000002
【特許請求の範囲】
【請求項１】
所定の装飾部材を備える遊技機において、
前記装飾部材は、
遊技機の右側部に設けられる右側装飾部と、
遊技機の左側部に設けられる左側装飾部と、
前記右側装飾部と前記左側装飾部の上方であって、前記右側装飾部と前記左側装飾部の間に亘って設けられる上装飾部と、
を備え、
前記右側装飾部は、
左右方向に向かって形成される複数の段部と、
前記段部の少なくとも一部と一体的に形成され、前方に向かって膨出する膨出部である右第１膨出部及び右第２膨出部と、
前記右第１膨出部と前記右第２膨出部との間に形成される右絞り部と、
を有し、
前記左側装飾部は、
左右方向に向かって形成される複数の段部と、
前記段部の少なくとも一部と一体的に形成され、前方に向かって膨出する膨出部である左第１膨出部及び左第２膨出部と、
前記左第１膨出部と前記左第２膨出部との間に形成される左絞り部と、
を有し、
前記上装飾部は、
下方に向かって膨出する上第１膨出部及び上第２膨出部と
前記上第１膨出部と前記上第２膨出部との間に形成される上絞り部と、
を有し、
前記右側装飾部、前記左側装飾部、及び前記上装飾部により囲まれた領域を、遊技の結果を表示することが可能な遊技結果表示領域として備えた
ことを特徴とする遊技機。
【請求項２】
前記装飾部材は、前記右絞り部と前記左絞り部の間に亘って設けられる中央装飾部を備え、
前記中央装飾部は、
人体の一部が近接したことを検出する検出手段と、
前記検出手段の前方に設けられ、前記検出手段を視認困難に覆う被覆手段と、
を有し、
前記被覆手段は、特定領域の色に対応する色であって透光性を有するカバーとして構成される
ことを特徴とする請求項１に記載の遊技機。
【請求項３】
前記段部及び前記膨出部は、光の入射に基づいて発光する発光部材からなり、
前記段部の厚みが、前記膨出部の厚みより肉厚に形成されている
ことを特徴とする請求項１又は２に記載の遊技機。
【請求項４】
前記段部及び前記膨出部は、光の入射に基づいて発光する発光部材からなり、
前記段部は、所定の位置に設けられた光源から出射され、前記膨出部に入射される光の一部を遮蔽する形状を有する
ことを特徴とする請求項１〜３のいずれか一項に記載の遊技機。
【請求項５】
前記装飾部材と前記遊技機の本体の間に配置される所定の中間部材を備え、
前記中間部材は、前記装飾部材側と前記遊技機の本体側とを連通する連通部を備え、
前記連通部に、前記装飾部材に一体的に形成された第１の凸状部材と前記遊技機の本体に一体的に形成された第２の凸状部材とがともに挿入され、当該挿入により、前記第１の凸状部材と前記第２の凸状部材と前記連通部とが係合されることに基づいて、前記装飾部材が、前記中間部材を介して前記遊技機の本体に取り付けられる
ことを特徴とする請求項１〜４のいずれか一項に記載の遊技機。
【発明の詳細な説明】
【技術分野】
【０００１】
本発明は、ランプカバーなどの装飾部材を備える遊技機に関する。
【背景技術】
【０００２】
従来から演出に用いるランプのカバー部材として、凹凸形状に装飾された装飾部材を備えた遊技機が知られている。
例えば、特許文献１には、階段状に屈曲した凹凸状の光装飾カバーを備えた遊技機が開示されている。
【先行技術文献】
【特許文献】
【０００３】
【特許文献１】特開２０１４−２０４７６４号公報
【発明の概要】
【発明が解決しようとする課題】
【０００４】
しかしながら、このような従来の遊技機は改良の余地があった。
【課題を解決するための手段】
【０００５】
上記目的を達成するため、本発明の遊技機は、所定の装飾部材を備える遊技機において、装飾部材は、遊技機の右側部に設けられる右側装飾部と、遊技機の左側部に設けられる左側装飾部と、右側装飾部と左側装飾部の上方であって、右側装飾部と左側装飾部の間に亘って設けられる上装飾部と、を備え、右側装飾部は、左右方向に向かって形成される複数の段部と、段部の少なくとも一部と一体的に形成され、前方に向かって膨出する膨出部である右第１膨出部及び右第２膨出部と、右第１膨出部と右第２膨出部との間に形成される右絞り部と、を有し、左側装飾部は、左右方向に向かって形成される複数の段部と、段部の少なくとも一部と一体的に形成され、前方に向かって膨出する膨出部である左第１膨出部及び左第２膨出部と、左第１膨出部と左第２膨出部との間に形成される左絞り部と、を有し、上装飾部は、下方に向かって膨出する上第１膨出部及び上第２膨出部と上第１膨出部と上第２膨出部との間に形成される上絞り部と、を有し、右側装飾部、左側装飾部、及び上装飾部により囲まれた領域を、遊技の結果を表示することが可能な遊技結果表示領域として備えた構成としてある。
【図面の簡単な説明】
【０００６】
【図１】本発明の第１実施形態に係る遊技機の外観を示す概略斜視図である。
【図２】本発明の第１実施形態に係る遊技機の内部構成を示す概略斜視図である。
【図３】本発明の第１実施形態に係る遊技機の制御構成を示すブロック図である。
【図４】本発明の第１実施形態に係る装飾部材の全体を示す図である。
【図５】本発明の第１実施形態に係る装飾部材の要部分解図である。
【図６】左第１装飾部の図であり、（ａ）は正面図、（ｂ）は右側面図、（ｃ）は（ａ）のＡ−Ａ拡大断面図である。
【図７】左第２装飾部の図であり、（ａ）は正面図、（ｂ）は右側面図、（ｃ）は（ａ）のＢ−Ｂ拡大断面図である。
【図８】左第１装飾部における段部の厚みと膨出部の厚みの関係によって光量が変化することを説明するための図である。
【図９】左第１装飾部においてＬＥＤの配置と段部の形状との関係によって光量が変化することを説明するための図である。
【図１０】左第１装飾部に表れる陰影を示す図である。
【図１１】中央装飾部の要部分解図である。
【図１２】カバー部の図であり、（ａ）は正面図、（ｂ）は背面図であり、（ｃ）は（ａ）のＣ−Ｃ断面図である。
【図１３】上装飾部の要部分解図である。
【図１４】図１４（ａ）は、上第１装飾部の取付前の平面模式図、図１４（ｂ）は、図１４（ａ）の側面模式図、図１４（ｃ）は、上第１装飾部の取付時の平面模式図、図１４（ｄ）は、図１４（ｃ）の側面模式図、図１４（ｅ）は、図１４（ｃ）のＤ−Ｄ断面の模式図である。
【図１５】表示ユニットにおいて、識別情報がループ状の軌跡を描くように移動する表示演出を行う場合の表示例である。
【図１６】表示ユニットにおいて、文字情報における輝度を変える場合の表示例である。
【図１７】表示ユニットにおいて、識別情報が所定の動きを行う表示演出の表示例である。
【図１８】表示ユニットにおいて、円形情報の大きさを変える場合の表示例である。
【図１９】表示ユニットにおいて、識別情報を徐々に拡大させる表示演出を行う場合の表示例である。
【図２０】本発明の第２実施形態に係る遊技機の外観を示す概略正面図である。
【図２１】本発明の第２実施形態に係る遊技機の内部構成を示す概略斜視図である。
【図２２】本発明の第２実施形態に係る遊技機の制御構成を示すブロック図である。
【図２３】本発明の第２実施形態に係る表示器ボタンの操作方法及び操作量を模式的に示す図である。
【図２４】本発明の第２実施形態に係るレバーの操作方法及び操作量を模式的に示す図である。
【図２５】本発明の第２実施形態に係るベットボタンの操作方法及び操作量を模式的に示す図である。
【図２６】本発明の第２実施形態に係る演出用ボタンの操作方法及び操作量を模式的に示す図である。
【図２７】本発明の第２実施形態に係る各操作手段に対応する操作画像を示す図である。
【図２８】本発明の第２実施形態に係る操作画像の決定方法及び当選の期待度を説明するための図表である。
【図２９】本発明の第２実施形態に係る操作画像表示処理を示すフローチャートである。
【発明を実施するための形態】
【０００７】
［第１実施形態］
本発明の第１実施形態に係る遊技機の好ましい実施形態について、図１〜図１４を参照して説明する。
なお、遊技機には、スロットマシン、パチンコ機など様々な種類があるが、本発明をスロットマシンに適用した場合について説明する。
【０００８】
図１〜３に示すように、本実施形態のスロットマシン１は、回動可能に軸支された複数のリール４１ａ，４１ｂ，４１ｃが内蔵され、正面側が開口した筐体１ｂと、筐体１ｂの正面側を開閉可能に覆う前扉１ａとで構成され、内部には、マイクロコンピュータ等で構成された主制御部１０、主制御部１０からの指令により、スピーカ８，ランプ９，表示ユニット１００等の報知手段を制御する副制御部２０、及び必要な機械，装置等が収納されている。
【０００９】
前扉１ａは、図２に示すように、スロットマシン１の筐体１ｂにヒンジ等を介して開閉可能に取り付けられる扉体で、この前扉１ａに遊技操作に係る複数の操作部が設けられて、スロットマシン１の正面部を構成している。
【００１０】
操作部として、例えば、メダルが投入されるメダル投入口２と、装置内部にクレジットとして貯留されたメダルをゲームに投じるベットボタン２ａと、各リール４１ａ，４１ｂ，４１ｃの回転を始動させるスタートレバー３と、回転している各リール４１ａ，４１ｂ，４１ｃを停止させる３つの停止ボタン５ａ，５ｂ，５ｃなどが設けられている。
【００１１】
さらに、前扉１ａには、各リール４１ａ，４１ｂ，４１ｃに表示された図柄を視認可能とする表示窓６が、各操作部の上側に設けられている。
表示窓６には、筐体側窓部６ａが設けられ、この筐体側窓部６ａからは、表示窓６の裏側に配置された表示ユニット１００による演出表示が視認できるようになっている。
また、前扉１ａの下部には、効果音、音声等が出力されるスピーカ８が設けられている。
【００１２】
筐体１ｂの中央には、リール４１ａ，４１ｂ，４１ｃと、各リール４１ａ，４１ｂ，４１ｃを回転させる図示しないモータ及び回転位置を検出するセンサ等を備えるドラムユニット４が設けられる。
また、筐体１ｂの下部には、メダルの貯留・払出しを行うメダル払出装置７が設けられる。メダル払出装置７には、メダルを貯留するホッパー７ａが設けられ、メダル投入口２より投入されたメダルは、メダルセレクタ２ｂにより検出されるとともに、ホッパー７ａに誘導されるようになっている。
【００１３】
主制御部１０は、メインＣＰＵ、メインＲＯＭ、メインＲＡＭなどが一体化された制御用チップの搭載された主基板、これを収容する基板ケース等から構成され、上記の各操作部からの信号やメダルセレクタ２ｂからの信号に基づき、ドラムユニット４、メダル払出装置７などの各装置を制御することで、以下のようなスロットマシン遊技を進行させる。
【００１４】
具体的には、遊技者によりメダル投入口２からメダルが投入されると、メダルがメダルセレクタ２ｂにより検出され、検出信号が主制御部１０に入力される。また、ベットボタン２ａが操作された場合は、その操作信号が主制御部１０に入力される。主制御部１０は、これらの信号の入力の有無からゲーム可能なメダル数を監視するとともに、スタートレバー３の操作を監視する。
ゲーム開始可能なメダル数となったときに、スタートレバー３が操作されると、主制御部１０は、ドラムユニット４を駆動して、各リール４１ａ，４１ｂ，４１ｃを回転させる制御を行う。
【００１５】
さらに、主制御部１０は、スタートレバー３が操作されたときに、ボーナス遊技に移行する開始役であるボーナス役、小役、再遊技役などの複数の当選役（ハズレも含む）の中から今回ゲームの抽選結果をリール４１の停止前に事前に決定する内部抽選を行い、各停止ボタン５ａ，５ｂ，５ｃが押下操作されたタイミングに基づき、抽選結果に応じた図柄の組合せで停止するよう、回転している各リール４１ａ，４１ｂ，４１ｃの停止制御を行う。
【００１６】
また、主制御部１０は、各リール４１ａ，４１ｂ，４１ｃに停止表示される図柄の組合せを判定し、所定の図柄の組合せのときには、メダル払出装置７に対して所定数のメダルを払い出す制御を行い、メダルをメダル払出口７ｂから払い出す。
【００１７】
また、スロットマシン１では、上述したようなスロットマシン遊技において、主制御部１０が所定の遊技タイミング（例えば、スタートレバー操作、停止ボタン操作、ボーナスゲーム開始、ボーナス役当選）において所定の制御信号を副制御部２０に出力することで、副制御部２０が、この制御信号に従い、予め記憶した演出プログラムに基づき、スピーカ８，ランプ９，表示ユニット１００等の報知手段を制御して、所定の遊技演出を行うようになっている。
【００１８】
主制御部１０から副制御部２０に出力される制御信号には、例えば、スタートレバー操作、停止ボタン操作、ボーナスゲーム開始などの遊技の進行を示す制御信号の他に、内部抽選の結果当選した抽選対象を示す当選対象信号（例えば、当選したボーナス役の種類［ビッグボーナス、レギュラーボーナス］、当選した小役の種類、再遊技役、ハズレなどを示す信号）などがある。
【００１９】
副制御部２０は、主制御部１０と同様にコンピュータとして構成され、スピーカ８，ランプ（後記ＬＥＤ）９，表示ユニット１００を制御することで、所定の音響演出や表示演出を行う。
副制御部２０は、サブＣＰＵ、サブＲＯＭ、サブＲＡＭなどの演出用チップの搭載された副基板、これを収容する基板ケース等から構成され、サブＣＰＵがサブＲＯＭに記憶されたプログラムを実行処理することで、表示ユニット１００に所定の表示態様で表示演出を行わせるとともに、スピーカ８から所定の音データを出力させ、さらに、ランプ９の点灯制御を行う。
【００２０】
このような構成からなる副制御部２０は、サブＣＰＵが、主制御部１０からの制御信号に基づいてスロットマシン１のそのときの状態を判定し、その状態に応じた演出を行うようにスピーカ８，ランプ９，表示ユニット１００を制御する。
例えば、主制御部１０から内部抽選の結果当選した抽選対象を示す当選対象信号としてボーナス役の当選を示す制御信号を受信したときには、表示ユニット１００を制御してボーナス当選に係る表示演出を行わせる。
また、ボーナス遊技に移行後は、ランプ９を所定のタイミングで点滅させるとともに、ファンファーレ音などの所定の効果音をスピーカ８から出力させる。
本実施形態のスロットマシン１は、このような一般的なスロットマシンの構成に加え、ランプカバーなどの部材として、特徴的な形状の装飾部材Ｌを用いている。
【００２１】
［装飾部材Ｌについて］
装飾部材Ｌは、アクリルなどの樹脂部材からなり、所定の光透過率を有する有色の透光性部材からなるランプカバーである。
「光透過率」は、入射光の通過割合であり、例えば、無色透明の部材で約９３％のものがある。「光透過率」は、一般に、無色透明のものよりも有色のものの方が低くなることが知られている。
このような装飾部材Ｌは、前扉１ａの所定位置に設けたＬＥＤ９の前方を覆うように設けられ、ＬＥＤ９が点灯すると、その出射光が装飾部材Ｌに入射し、内部を透過することで自らが発光するようになっている。
装飾部材Ｌは、図４及び図５に示すように、スロットマシン１の左側の「左側装飾部Ｌ１」と、スロットマシン１の右側の「右側装飾部Ｌ２」と、左側装飾部Ｌ１と右側装飾部Ｌ２の上方であって、左側装飾部Ｌ１と右側装飾部Ｌ２の間に亘る「上装飾部Ｌ３」の３つの装飾部によって構成され、表示窓６の周囲を囲むように設けられている。
なお、「左側装飾部Ｌ１」と「右側装飾部Ｌ２」は、左右対称であり同様の構造であることから、「左側装飾部Ｌ１」を例に挙げて説明し、「右側装飾部Ｌ２」の詳細な説明は省略する。
また、本実施形態において、「右」とは、遊技機側から遊技者の方を見た場合の右側（図面の左側）をいい、「左」とは、遊技機側から遊技者の方を見た場合の左側（図面の右側）をいう。また、「前」とは、遊技機の正面側をいい、「後」とは、遊技機の背面側をいう。
【００２２】
左側装飾部Ｌ１は、上部と下部の装飾部により構成される。
例えば、図５及び図６に示すように、左側装飾部Ｌ１は、下部に左第１装飾部Ｌ１ａを備え、上部に左第２装飾部Ｌ１ｂを備えている。
また、図５及び図７に示すように、右側装飾部Ｌ２は、下部に右第１装飾部Ｌ２ａを備え、上部に右第２装飾部Ｌ２ｂを備えている。
これらの図に示すように、左側装飾部Ｌ１及び右側装飾部Ｌ２は、段部Ｌ１１と膨出部Ｌ１２を有することで、全体として、波形に膨出した形状部が階段状に形成されている。
【００２３】
段部Ｌ１１は、図５〜図７に示すように、左右方向に向かって複数形成した、前後方向に対する段差である。
このような段部Ｌ１１は、正面視すると上下方向に沿って見える線状の部分であり（図６（ａ）、図７（ａ）参照）、側面視すると前側にやや湾曲して見える弓状の部分である（図６（ｂ）、図７（ｂ）参照）。
段部Ｌ１１は、断面視するとわかるように、後方（裏側）に突出する部分である（図６（ｃ）、図７（ｃ）参照）。
【００２４】
膨出部Ｌ１２は、段部Ｌ１１の少なくとも一部と一体的に形成され、前方に向かって膨出した形状を有する部分である。
具体的には、膨出部Ｌ１２は、図５〜図７に示すように、隣接する段部Ｌ１１と段部Ｌ１１の間において、前方にＵ字状に突出した部分である。
【００２５】
左第１装飾部Ｌ１ａと左第２装飾部Ｌ１ｂの間には、左絞り部Ｌ１３が設けられており、左第１装飾部Ｌ１ａ及び左第２装飾部Ｌ１ｂは、左絞り部Ｌ１３に接する部分が、ほぼ同幅に形成されている（図４参照）。
左絞り部Ｌ１３は、表示窓６の上側に左右方向に沿って設けられた帯状部材（後記中央装飾部Ｌ４）の左端部である。
なお、左第２装飾部Ｌ１ｂは、上側が幅広で左絞り部Ｌ１３に近くなるにつれて幅狭に形成されており、左第１装飾部Ｌ１ａは、上下方向に沿ってほぼ同幅に形成されている。
このような左側装飾部Ｌ１によれば、あたかも、左第１装飾部Ｌ１ａ及び左第２装飾部Ｌ１ｂをからなる「幕」や「カーテン」が、左絞り部Ｌ１３からなる留め具（タッセルなど）により絞り留められているかのように見せることができる。
【００２６】
右側装飾部Ｌ２は、左側装飾部Ｌ１と左右対称に形成されているため、詳細な説明は省略する。
右側装飾部Ｌ２によれば、あたかも、右第１装飾部Ｌ２ａ及び右第２装飾部Ｌ２ｂからなる「幕」や「カーテン」が、右絞り部Ｌ２３からなる留め具（タッセルなど）により絞り留められているかのように見せることができる。
【００２７】
上装飾部Ｌ３は、スロットマシンの最上部に設けたランプカバーであり、左側の上第１装飾部Ｌ３１と、右側の上第２装飾部Ｌ３２と、上第１装飾部Ｌ３１と上第２装飾部Ｌ３２の間に形成される上絞り部Ｌ３３と、を備えている。
上第１装飾部Ｌ３１及び上第２装飾部Ｌ３２は、本発明の上第１膨出部及び上第２膨出部に相当し、下方に向かって膨出した形状を有している。
上絞り部Ｌ３３は、正面視半円状に形成され、その左側に上第１装飾部Ｌ３１が設けられ、その右側に上第２装飾部Ｌ３２が設けられている。
上第１装飾部Ｌ３１及び上第２装飾部Ｌ３２は、左側装飾部Ｌ１や右側装飾部Ｌ２の膨出部Ｌ１１と同様の形状であるが、下方に向かって膨出しており、段差（段部）を有しない形状である。
また、上第１装飾部Ｌ３１及び上第２装飾部Ｌ３２は、ともに、上絞り部Ｌ３３に接する部分が幅狭で、上絞り部Ｌ３３から遠くなるにつれて幅広に形成されている。
このような上装飾部Ｌ３によれば、あたかも、上第１装飾部Ｌ３１及び上第２装飾部Ｌ３２からなる横長の「幕」が、上絞り部Ｌ３３からなる留め具により絞り留められ、これにより、まるで、「幕」が中心部から吊られた状態で束ねられているように見せることができる。
【００２８】
以上のように、本実施形態の遊技機によれば、装飾部材Ｌを、「幕」や「カーテン」のように見せることができ、装飾部材Ｌによって囲まれる領域にある表示窓６を、「幕」や「カーテン」により囲まれるステージや窓のように見せることができる。
これにより、遊技者は、まるでステージ上の舞台を観覧したり窓から景色を眺めるかのような感覚で、遊技結果を表示することが可能な遊技結果表示領域（リール配置領域）としての表示窓６に表示される遊技結果を見ることができる。
このため、装飾部材でもあるランプカバーによって遊技機の外観としての特定の世界観を構築することができ、遊技者の遊技意欲を高めることができる。
なお、周囲が囲まれた領域は一般に注意を引き易いことが経験的に知られている。
このため、装飾部材Ｌにより囲まれた表示窓６に遊技者の目線を無意識に向けさせることができ、これによっても遊技者の遊技意欲を高めることができる。
【００２９】
［装飾部材Ｌにおける陰影演出について］
次に、装飾部材Ｌにおける陰影演出について左第１装飾部Ｌ１ａを例示して説明する。
図５に示すように、左第１装飾部Ｌ１ａは、ＬＥＤ９の前方を覆うランプカバーであり、ＬＥＤ９を点灯させると、ＬＥＤ９から出射された光が入射し、内部を透過することによって発光する。
このように左第１装飾部Ｌ１ａは発光体でありながら、以下の構成を備えることで、所定の領域に陰影が見えるようにしている。
図８は、左第１装飾部Ｌ１ａの断面図であり、陰影が見える仕組みを説明するための説明図である。
図８に示すように、左第１装飾部Ｌ１ａは、段部Ｌ１１の厚みｔ１と膨出部Ｌ１２の厚みｔ２が異なり、段部Ｌ１１の方が膨出部Ｌ１２より肉厚に形成されている。
このような構成によれば、段部Ｌ１１に入射する光Ｂの透過光量（図中ｂ参照）は、膨出部Ｌ１２に入射する光Ａの透過光量（図中ａ参照）に比べ少なくなる。
これは、装飾部材Ｌが光透過性部材であるものの、その透光率は１００％ではないため、厚みに比例して光の減衰量が多くなるからである。特に、左第１装飾部Ｌ１ａは、有色（ピンク）の光透過性部材を用いているため、その傾向は高くなる。
【００３０】
また、ＬＥＤ９の配置と段部Ｌ１１の形状との関係に基づいても光量に差異が生じる。
図９（ａ）は、左第１装飾部Ｌ１ａの要部断面図であり、図９（ｂ）は、図９（ａ）の※部拡大図である。
図９に示すように、ＬＥＤ９は、左第１装飾部Ｌ１ａの後方の左側に偏って配置されているため、左第１装飾部Ｌ１ａに対し、左後方から右前方に向けて斜めに入射する光がある。
ここで、段部Ｌ１１には、後方に突出する凸部（以下、後方凸部Ｘという）が形成されている。
このため、図９に示すように、光Ａは膨出部Ｌ１２に直接入射し、その後透過するが（図中ａ参照）、光Ｂは、後方凸部Ｘ（図中点線部分）により遮蔽される結果光量が減少する（図中ｂ参照）。
また、同図に示すように、斜め方向に入射する光の進行方向に基づけば、段部Ｌ１１の周辺部の厚みｔ１’は、膨出部Ｌ１２の厚みｔ２’に比べ肉厚になることから、段部Ｌ１１の周辺部に入射する光Ｃの透過光量（図中ｃ参照）は、光Ａよりも少なくなる。
【００３１】
以上のように、段部Ｌ１１及び段部Ｌ１１の周辺部において、それ以外の領域に比べ相対的に透過光量が少なくなる結果、図１０に示すように、段部Ｌ１１及び段部Ｌ１１の周辺部に陰影が視認可能に形成される。
これにより、装飾部材Ｌを、より奥行き感や立体感をもたせることができるため、本実施形態のように「幕」や「カーテン」を模したランプカバーについては、「幕」や「カーテン」をよりリアルに見せることができる。
【００３２】
［センサを隠ぺいする装飾部材の構成について］
図４及び図１１に示すように、本実施形態の遊技機は、右絞り部Ｌ２と左絞り部Ｌ１３の間に亘って設けられる中央装飾部Ｌ４を備えている（図４等参照）。
中央装飾部Ｌ４は、図１１に示すように、測距センサＬ４１と、測距センサＬ４１の前方を覆うカバー部（本発明のカバー）Ｌ４２と、を有している。
測距センサＬ４１は、レーザ光などの光を前方に向けて投光する投光部Ｌ４１ａと、対象物からの反射光を受光する受光部Ｌ４１ｂとを備え、反射光の入射角等に応じて対象物との距離を測定することができる。
このような測距センサＬ４１によれば、近接する距離（例えば、数センチメートル）以内に人体の一部が近接したことを検出する検出手段として動作する。
このため、本実施形態の測距センサＬ４１は、遊技者が近接位置で手をかざす操作を行ったことに応じ、副制御部２０に所定の制御を行わせる操作手段として用いることができる。
例えば、ボーナス遊技状態中の手をかざす操作によって、後記表示ユニット１００に所定の演出表示を行わせることができる。
【００３３】
ここで、カバー部Ｌ４２は、測距センサＬ４１を視認困難に覆う被覆手段として用いる。
このように、カバー部Ｌ４２によって側距センサＬ４１を隠ぺいすることで、上記特定の演出表示が、上記操作を知る人にだけ提供できたり、偶発的に行われるため、測距センサＬ４１を特別な操作手段とすることができる。
カバー部Ｌ４２は、具体的には、図１１及び図１２に示すように、ハット帽子の形状に形成され、複数の色でデザインされている。
デザインは、図１２（ａ）に示すように、赤と白がストライプ状の領域（上部領域）と、「濃い青」が帯状に形成された領域（中部領域）と、全体が白の領域（下部領域）によって主に構成される。
このようなカバー部Ｌ４２は、例えば、公知のシートインサート成形により、基材となる透明の樹脂部材をハット状に加工しつつ、白のベースシートをほぼ全面に施し、領域ごとに対応する色の装飾シートを施すことで作成することができる。なお、白のベースシートは、光の透過を抑え、装飾シートの色を透けることなく明瞭に見せるために用いる。
【００３４】
ところで、中部領域の中には、図１１及び図１２に示すように、測距センサＬ４１の前方を直接覆う領域（以下、特定領域Ｓという）が含まれる。
しかしながら、デザインに従って中部領域に「濃い青」の装飾シートを施すと、「濃い青」が光を吸収する性質を有する色であるため、投光部Ｌ４１ａから投光された光や対象物から反射された光が特定領域Ｓの部分で吸収され、測距センサＬ４１が正常に機能しなくなるおそれがある。
そこで、本実施形態では、特定領域Ｓに対し、特定領域Ｓの色（第１の色という）に対応する透光性を有する色（第２の色という）を施すようにしている。
ここで、「第１の色」とは、特定領域Ｓにおけるデザイン上の色であって、これを見た者（遊技者）が感じる色（つまり「濃い青」）をいう。
一方、「第２の色」とは、特定領域Ｓに対し実際に施す色（つまり「透明の青」）をいう。
具体的には、図１２（ｃ）に示すように、特定領域Ｓには白のベースシートを施さず、中部領域には透明青の装飾シートを施す。
このようにすると、投光部Ｌ４１ａからの投光や受光部Ｌ４１ｂにおける受光が、特定領域Ｓにより妨げられないため、測距センサＬ４１の機能が損なわれることはない。
また、測距センサＬ４１の前方にカバー部Ｌ４２が配置されるところ、測距センサＬ４１とカバー部材Ｌ４２の間の隙間をなくすことで、特定領域Ｓに光が入らないようにして暗くしている。
これにより、特定領域Ｓの色は、実際には透明青であるにもかかわらず、「暗い青」である「濃い青」に見せることができる。
また、「青」は、明るい場所で見ると黒ずんで見えるところ、遊技機は、比較的明るい遊技場に設けられていることからも、特定領域Ｓは、「濃い青」に見える。
このため、遊技者がカバー部Ｌ４２を見たときに、特定領域Ｓは「濃い青」に見せつつ、その後方の測距センサＬ４１の存在を気付きにくくすることができる。
したがって、このようなカバー部Ｌ４２によれば、操作手段である測距センサＬ４１を自然な態様で隠ぺいしながらも、測距センサＬ４１による操作を適切に行うことができ、かつ、所定のデザインに沿った色味を実現することができる。
【００３５】
［装飾部材Ｌの取付構造について］
図１３に示すように、遊技機の上部には、上部ランプユニットが設けられている。
この上部ランプユニットは、ＬＥＤ９が設けられているユニットフレームＭと、装飾部材Ｌである上装飾部Ｌ３（上第１装飾部Ｌ３１・上第２装飾部Ｌ３２・上絞り部Ｌ３３）によって構成される。
ここで、上装飾部Ｌ３の取付構造について、上第１装飾部Ｌ３１を例示して説明する。
上第１装飾部Ｌ３１は、図１３に示すように、ユニットフレームＭに取り付けられ、このユニットフレームＭは遊技機本体である前扉１ａのフレームに取り付けられる。
図１４（ａ）は、上第１装飾部Ｌ３１の取付前の平面模式図、図１４（ｂ）は、図１４（ａ）の側面模式図、図１４（ｃ）は、上第１装飾部Ｌ３１の取付時の平面模式図、図１４（ｄ）は、図１４（ｃ）の側面模式図、図１４（ｅ）は、図１４（ｃ）のＤ−Ｄ断面の模式図である。
これらの図に示すように、上第１装飾部Ｌ３１は、中間部材であるユニットフレームＭを介して遊技機本体である前扉１ａに取り付けられる。
【００３６】
ユニットフレームＭは、表側（装飾部材側）と裏側（前扉側）とを連通する、矩形状の開口部からなる連通部Ｎを設けている（図１３及び図１４（ａ）〜（ｅ）参照）。
前扉１ａには、連通部Ｎに対応する位置に、前方に向けて突出した先細り形状の凸部Ｐ（本発明の第１の凸状部材）を、当該前扉１ａのフレームと一体に形成している（図１４（ｂ）（ｄ）（ｅ）参照）。
このような凸部Ｐは、ユニットフレームＭを、前扉１ａの所定の取付位置で重ねると、連通部Ｎの下側に挿入するように形成されている（図１４（ｃ）〜（ｅ）参照）。
上第１装飾部Ｌ３１には、連通部Ｎに対応する位置に、後方に向けて突出した爪部Ｑ（本発明の第２の凸状部材）を、当該上第１装飾部Ｌ３１をなす樹脂部材と一体に形成している（図１３及び図１４（ａ）〜（ｅ）参照）。
このような爪部Ｑは、上第１装飾部Ｌ３１を、ユニットフレームＭの所定の取付位置で重ねると、連通部Ｎの上側に挿入するように形成されている（図１４（ｃ）〜（ｅ）参照）。
このため、ユニットフレームＭを、前扉１ａの所定の取付位置で重ね、上第１装飾部Ｌ３１を、ユニットフレームＭの所定の取付位置で重ねることにより、爪部Ｑと凸部Ｐがともに連通部Ｎに挿入される。
【００３７】
ここで、図１４（ｅ）に示すように、凸部Ｐは先細り形状であるため、当該凸部Ｐが連通部Ｎに挿入されることに応じて爪部Ｑや連通部Ｎを押圧し、また、連通部Ｎに挿入された爪部Ｑが係合部に係合されるため、爪部Ｑ及び凸部Ｐと連通部Ｎは、それぞれが係合された状態で固定される。
このように、上第１装飾部Ｌ３１とユニットフレームＭと前扉１ａを重ねることで、上第１装飾部Ｌ３１を、ボス部材などの固定部材を用いることなく、しっかりと固定することができる。
これに対し、従来は、ボス部材を前扉１ａのフレームやユニットフレームＭに設け、これにより、ランプカバーである装飾部材Ｌを強固に固定していた。
しかしながら、ボス部材などの固定部材は立体構造であるため、ＬＥＤ９の点灯時にその陰がランプカバーに映し出されたり、これを回避するためランプカバーの大きさが制限されるなどの問題があった。
本発明の装飾部材Ｌの取付構造によれば、ボス部材などの固定部材を設ける必要がないため、このような問題を生じることなく、しっかりと装飾部材Ｌを固定することができる。
【００３８】
［表示ユニットについて］
次に、表示ユニット１００について、図１５〜図１９を参照して説明する。
表示ユニット１００は、例えば、ボーナス役に内部当選したことを表示演出により報知する報知手段として動作する。
表示ユニット１００は、液晶表示装置によって構成され、遊技者は、液晶画面に表示される遊技の進行に関連する識別情報を、表示窓６を通して視認できるようになっている。
図１５は、識別情報が所定の軌跡を描くように移動する表示演出を行う例を示している。
同図において、識別情報は、「ＡＡＡＡＡ」からなる文字情報であり、軌跡はループ状の軌跡Ｋとしてある。
具体的には、図１５（ａ）に示す、中文字の「ＡＡＡＡＡ」からなる文字情報１６３１が円上の領域１５１ａの左側に配置された画像、図１５（ｂ）に示す、大文字の「ＡＡＡＡＡ」からなる文字情報１６２１が領域１５１ａの中に配置された画像、図１５（ｃ）に示す、中文字の「ＡＡＡＡＡ」からなる文字情報１６３２が領域１５１ａの右側に配置された画像、図１５（ｄ）に示す、小文字の「ＡＡＡＡＡ」からなる文字情報１６３３が領域１５１ａの右側に配置された画像を、順次切り替える。
図１５（ａ）〜（ｄ）の切替タイミングは、「ＡＡＡＡＡ」がループ状の軌跡を一定の速度で移動するものと仮定したタイミングとすることが好ましい。
これにより、識別情報（「ＡＡＡＡＡ」）がループ状の軌跡を描くように反時計回りで移動する表示演出を行うことができる。
なお、他の識別情報「ＢＢＢＢＢＢ」を併せて表示することもできる（図１５参照）。
【００３９】
また、図１５（ａ）〜（ｄ）に加え、識別情報１６２１，１６３１〜１６３３が一切表示されない特別画像（図示省略）を用いた表示演出を行うこともできる。
例えば、「ＡＡＡＡＡ」が軌跡Ｋを１周１０秒で移動するものとし、軌跡Ｋに占める一部Ｋａ及び他部Ｋｂそれぞれの距離（長さ）の比率から一部Ｋａを４秒、他部Ｋｂを６秒で移動するものと算出されたときには、識別情報（「ＡＡＡＡＡ」）が軌跡Ｋの一部Ｋａを移動しているものと仮定される「４秒」の間で、図１５（ａ）〜（ｄ）を切り替えて表示し、軌跡Ｋの他部Ｋｂを移動しているものと仮定される「６秒」の間は、特別画像を表示する。
これにより、識別情報があたかも仮想空間（他部Ｋｂ）においても移動しているような印象を与えることができ、演出の信憑性を高めることができる。
【００４０】
図１６は、窓部１２１から観測される映像の輝度を変化させた表示演出を示している。
例えば、図１６（ａ）は、領域１５１ａと、「ＡＡＡＡＡ」の文字情報１６２１と、「ＢＢＢＢＢＢ」の文字情報１７１２とを、それぞれの同じ輝度にしたときの表示演出であり、図１６（ｂ）は、「ＡＡＡＡＡ」の文字情報１６２１の輝度を他より高めたときの表示演出であり、図１６（ｃ）は、「ＡＡＡＡＡ」の文字情報１６２１の輝度をさらに高めたときの表示演出である。
このように輝度を変えることにより、表示演出ごとや場面に応じて強調したい情報や領域を変えることができる。
また、図１６（ａ）〜（ｃ）の表示演出をそれぞれ階調制御の一演出とし、これらを連続的に切り替えることにより、明るさのグラデーション演出を行うこともできる。
【００４１】
図１７は、図１５に示した表示演出の変形例であり、識別情報が所定の軌跡を移動する表示演出を行う例を示している。
例えば、図１７（ａ）は、文字情報１６３１，１６３２をそれぞれ領域１５１ａの左側と右側に配置させた画像を用い、これを、文字情報１６２１を領域１５１ａの中に配置させた画像（図１７（ｂ））と交互に切り替えて表示する。
これにより、「ＡＡＡＡＡ」の文字情報が、軌跡Ｋの一部Ｋａに沿って、左右から中央に集まったり、左右に分離したりする演出を行うことができる。
【００４２】
図１８（ａ）は、図形情報１６１２を配置した画像であり、図１８（ｂ）は、図形情報１６１２と、この図形情報より一回り大きい図形情報１６１１を配置した画像である。
これらの画像を時間的に切り替えることにより、図形情報１６１２と図形情報１６１１との組合せによって、円形が大きくなったり（ｂ）、小さくなったり（ａ）見える演出を行うことができる。
この場合、図形情報１６１１と図形情報１６１２の色は同じ色にすることが好ましい。
【００４３】
また、図１９（ａ）〜（ｄ）に示すように、同じ位置に配置した識別情報を大きさを変えた画像を用いることもできる。
この場合、図１９（ａ）〜（ｄ）の順、又は、図１９（ｄ）〜（ａ）の順に、切り替えて表示することにより、「ＡＡＡＡＡ」の文字情報が大きくなったり、小さくなったり見える演出を行うことができる。
【００４４】
以上説明したように、本実施形態のスロットマシン１によれば、遊技機の右側部に設けられる右側装飾部と、遊技機の左側部に設けられる左側装飾部と、右側装飾部と左側装飾部の上方であって、右側装飾部と左側装飾部の間に亘って設けられる上装飾部と、を備え、幕やカーテンの形状を模した右側装飾部、左側装飾部、及び上装飾部により囲まれた領域を、遊技の結果を表示することが可能な遊技結果表示領域として備えている。
これにより、表示窓６に表示される表示結果をステージに見立てた状態で遊技を行わせ、遊技者を表示窓６に注目させることで、興趣を高めることができる。
【００４５】
一方、従来の遊技機は、特許文献１に開示されているように、凹凸形状（階段状又は波形状）のランプカバーを備えるものの、ランプカバーなどの装飾部材によって囲まれた領域を遊技結果表示領域として備えたものではなく、遊技者の遊技意欲を高めきれるものはなかった。
以上のように、本実施形態のスロットマシン１によれば、従来の遊技機が改善すべきこのような課題の全部又は一部などを解決することができる。
【００４６】
［第２実施形態］
本発明の第２実施形態に係る遊技機の好ましい実施形態について、図２０〜図２９を参照して説明する。
なお、第１実施形態と共通の構成はあるものの、第１実施形態とは別の独立した符号を付して説明する。例えば、「表示窓６」のように、第１実施形態と同じ符号のものもあるが、「スピーカ９」、「操作部Ｓ」、「装飾パネルＰ」のように、第１実施形態における符号が本実施形態では異なる構成を示すものがある（第１実施形態では、「ランプ（ＬＥＤ）９」、「特定領域Ｓ」、「凸部Ｐ」としている）。
【００４７】
スロットマシン１は、本発明に係る遊技機の一実施形態であり、通常のスロットマシンと同様、前面に開口部を有する筐体１ｂと、開口部を開閉可能に覆う前扉１ａとを備えている。
前扉１ａは、リール４１ａ〜４１ｃそれぞれに表された連続する３つの図柄（識別情報）を機外から識別可能に構成されるとともに、遊技者により操作される複数の操作手段を備え、筐体１ｂは、リール４１ａ〜４１ｃを回転駆動させるドラムユニット４、メダルの払い出しを行うメダル払出装置７などの複数の装置、コンピュータとして動作する主制御部１０、副制御部２０などを備えている。
【００４８】
このようなスロットマシン１は、主制御部１０が特典付与手段などとして動作することにより、以下のようなスロットマシン遊技を実行可能に構成されている。
【００４９】
ゲームの開始にあたり、メダル（クレジットメダルも含む）を用いて掛け数の設定を行う。
掛け数の設定は、メダル投入口２から直接メダルを投入して設定する方法と、ベットボタン２ａを押下操作して設定する方法とがある。
【００５０】
メダル投入口２からメダルを投入して掛け数を設定する方法では、投入されたメダルが前扉１ａ裏面に設けられたメダルセレクタ２ｂ（メダル検知手段）によって検知されることにより、投入分のメダル枚数に対応する掛け数（ただし、メダル３枚に対応する掛け数「３」が上限）が設定されることになる。
なお、掛け数の上限は、「１」、「２」、又は「４」以上でもよい。
【００５１】
ベットボタン２ａは、遊技者の操作を受け付け可能な操作手段の一例であり、これが押下操作されると、内部的にデータとして記憶されたクレジットメダルから、所定数（例えば、３枚）のメダル数が減算され、減算された分が掛け数として設定されることになる。
なお、ベットボタンは、ベットボタン２ａのみに限らず、設定される掛け数のそれぞれ異なるベットボタンを複数設けることもできる。また、クレジットメダルは、メダル投入口２からのメダル投入や入賞により加算され、例えば、メダル５０枚までクレジット（記憶）することができる。
【００５２】
このように、メダル投入口２からの直接投入やベットボタン２ａの押下操作により設定された掛け数は、主制御部１０に備えるＲＡＭなどの記憶手段に記憶される。
そして、掛け数が所定数（例えば、３枚）になったときに、１回の遊技を実行可能な権利を保有するゲーム開始可能な状態となる。
【００５３】
このゲーム開始可能な状態では、スタートレバー３の操作が有効状態となる。この有効状態になっているときに、スタートレバー３が傾動操作されると、ゲームが開始され、複数の図柄の表されたリール４１ａ〜４１ｃが変動（以下、回転ということもある）を開始するとともに、リプレイ役、小役、ボーナス役などの複数の当選役（はずれを含む）の中から今回ゲームの抽選結果をリール４１の停止前に事前に決定する内部抽選処理が実行される。
なお、本実施形態では、内部抽選処理は、後述するリール４１ａ〜４１ｃが定常回転に達する前に完了するものであるが、リール４１ａ〜４１ｃが回転を開始する前に完了するようにしてもよい。
【００５４】
各リール４１ａ〜４１ｃは、可変表示手段の一例であり、各リール４１ａ〜４１ｃの周面には、識別情報となる複数（通常２１個）の図柄として、例えば、「リプレイ」、「ベル」、「スイカ」、「チェリー」、「７」などがそれぞれ表されており、停止状態から徐々に回転速度を上げた後、一定の速度で回転する定常回転に達する。
このような定常回転に達すると、各リール４１ａ〜４１ｃに対応して設けられた停止ボタン５ａ〜５ｃが押下操作可能な状態（停止ボタン５操作の有効化）となる。
【００５５】
停止ボタン５ａ〜５ｃは、遊技者の操作を受け付け可能な操作手段の一例であり、例えば、停止ボタン５ａ〜５ｃに内蔵されたＬＥＤ等の発光手段が点灯することにより押下操作可能な状態となり、このような状態において各停止ボタン５が押下操作されると、その操作タイミングと内部抽選処理の抽選結果とにより許容される図柄の組合せで停止（導出ともいう）するように、各リール４１ａ〜４１ｃが停止制御される。
【００５６】
停止状態では、リール４１ａ〜４１ｃそれぞれに表された上下方向に連続する３つの図柄が表示窓６から機外に臨むように停止（停止表示ということもある）し、このときの停止表示態様に基づいて入賞の有無が判定される。
入賞の判定は、所定の入賞ライン上に停止した図柄の組合せに基づいて判定され、例えば、上・中・下段３つのラインと斜め２つのラインの計５ラインいずれかの入賞ライン上に停止した図柄の組合せに基づいて判定される。
判定される図柄の組合せには、小役に対応する図柄の組合せとして、「左リール４１ａ・中リール４１ｂ・右リール４１ｃ」の順で、「ベル・ベル・ベル」（ベル役）、「チェリー・ＡＮＹ・ＡＮＹ」（チェリー役、ただしＡＮＹは任意の図柄）、「スイカ・スイカ・スイカ」（スイカ役）などがある。
また、リプレイ役に対応する図柄の組合せとして、「リプレイ・リプレイ・リプレイ」（通常リプレイ）、「７・７・７」（昇格リプレイ）、「リプレイ・リプレイ・ベル」（転落リプレイ）などがある。
そして、入賞ライン上に停止した図柄の組合せを判定した結果、図柄の組合せが小役などに対応する表示結果であるときに、図柄の組合せに応じた遊技価値が付与される。
【００５７】
例えば、ベル役、チェリー役、スイカ役などの小役に対応する図柄の組合せの停止により、入賞が判定され、メダル払出装置７が駆動制御されることにより、メダルの貯留されたホッパー７ａからメダル払出口７ｂを介して所定数のメダルが払い出され、具体的には、「ベル役」に対応する図柄の組合せ（「ベル・ベル・ベル」）の停止により８枚のメダルが払い出され、「チェリー役」に対応する図柄の組合せ（「チェリー・ＡＮＹ・ＡＮＹ」）の停止により１枚のメダルが払い出され、「スイカ役」に対応する図柄の組合せ（「スイカ・スイカ・スイカ」）の停止表示により５枚のメダルが払い出される。
なお、メダルの払い出しは、クレジットメダルの上限数を超える分のみが払い出されるように構成することもできるが、図示しない所定の設定ボタンを事前に操作することにより、入賞が発生するごとに、入賞に対応するメダルが払い出されるように構成することもできる。
また、「リプレイ役」に対応する図柄の組合せ（例えば、「リプレイ・リプレイ・リプレイ」など）の停止により、入賞が判定され、次回ゲームにおいてメダルの投入を行うことなく遊技可能な状態となる。
【００５８】
このような一連の動作を１回の遊技とするスロットマシン遊技は、図２２に示すように、主制御部１０が、ベットボタン２ａ、スタートレバー３、停止ボタン５などの操作手段やメダルセレクタ２ｂなどの入力手段からの入力情報に基づいて、リール４１ａ〜４１ｃやこれらを回転駆動させるパルスモータなどを備えるドラムユニット４、メダル払出装置７などの出力手段を制御することにより実現される。
【００５９】
さらに、主制御部１０は、遊技状態の移行制御を行う。
主制御部１０により制御される遊技状態として、例えば、通常遊技状態と特定遊技状態とがある。
通常遊技状態はメダルの増加し難い遊技者に不利な遊技状態となっており、特定遊技状態はメダルが増加し易い遊技者に有利な遊技状態となっている。
【００６０】
本実施形態では、特定遊技状態をＡＲＴとしてある。
ＡＲＴは、ＡＴとＲＴの二つの状態が組み合わされた遊技状態である。
ＡＴは、アシスト・タイムの略称であり、各停止ボタン５に対する操作順序や、目押しの目安となる図柄等を報知することにより、内部抽選処理の抽選結果に対応する図柄の組合せの導出をアシストする遊技状態である。
例えば、内部抽選処理において抽選される小役やリプレイ役の中には、対応する図柄の組合せが停止ボタン５ａ〜５ｃに対して行う６通りの操作順序それぞれに対応して導出可能な押し順指定の当選役があり、ＡＴでは、これらの小役やリプレイ役に当選したときに、遊技者にとって有利な遊技結果が得られるように、それぞれに対応する押し順を表示器８などの報知手段を介して報知する。
なお、このような押し順の報知に代えて又は加えて、小役やリプレイ役に当選したときに、これらに対応する図柄を表示器８などの出力手段を介して報知することにより、目押しをアシストすることもできる。
【００６１】
ＲＴは、リプレイ・タイムの略称であり、内部抽選処理において抽選される通常リプレイの当選確率が、通常遊技状態よりも高い有利な遊技状態である。
ＡＲＴは、このようなＡＴとＲＴとが組み合わされた遊技状態であり、リプレイ役に高確率で当選しつつ、停止ボタン５に対する操作のアシストにより小役入賞が得られることから、手持ちのメダルが増加し易い遊技者に有利な遊技状態となっている。
【００６２】
このようなＡＲＴは、始期及び終期を有している。
ＡＲＴの始期は、例えば、通常遊技状態において、所定の小役（例えば、チェリー，スイカなどのレア小役）に当選すること、かつ、この当選時に行われるＡＲＴ（ＡＴ）抽選処理において当選すること、その後、さらに、ＲＴの開始に係る当選役である昇格リプレイに当選し、これに対応する図柄の組合せ（例えば、「７・７・７」）が導出することなどを始期することができる。この図柄の組合せは、昇格リプレイに対応する各停止ボタン５に対する操作順序や、目押しの目安となる図柄等が報知されることにより導出可能となる。
このように、主制御部１０は、特典付与手段として機能することにより、上記のような所定条件が成立したことに基づいて、遊技者にＡＲＴという特典を付与する。
また、ＡＲＴの終期は、例えば、所定ゲーム数の消化、所定数のメダル獲得、所定小役の所定回数当選などを終期とすることができる。
【００６３】
また、ＲＴにおいて、通常リプレイ（「リプレイ・リプレイ・リプレイ」）及び転落リプレイ（「リプレイ・リプレイ・ベル」）に重複当選する重複当選役が設定され、当該重複役の当選時に、例えば、１／６の押し順で通常リプレイが停止表示され、５／６の押し順で転落リプレイが停止表示されるようになっており、通常リプレイが停止表示される場合にはＲＴを維持するが、転落リプレイが停止表示される場合には、ＲＴを終了させる。
また、同様に、１／６の押し順でベル（８枚役）が停止表示され、５／６で１枚役が停止表示される可能性のあるベル（押し順ベル）が重複当選役として設定され、押し順ベルの取りこぼしで（１枚役の停止で）、非ＲＴに移行する。
これらの重複当選役は、ＡＴ中であればその当選時に、押し順が報知され、１／６の押し順を正解することができる。
【００６４】
また、通常遊技状態において、通常リプレイ（「リプレイ・リプレイ・リプレイ」）及び昇格リプレイ（「７・７・７」）に重複当選する重複当選役が設定され、例えば、１／６の押し順で昇格リプレイが停止表示され、５／６の押し順で通常リプレイが停止表示されるようになっている。
また、１／６の押し順でベル（８枚役）が停止表示され、５／６で１枚役が停止表示される可能性のあるベル（押し順ベル）が重複当選役として設定されている。通常遊技状態では、押し順の報知は行われないことから、昇格リプレイやベルが停止表示される可能性は低い。
このようなことから、通常遊技状態は、特定遊技状態に比べて、手持ちのメダルが増加し難い遊技者に不利な遊技状態となっている。
【００６５】
また、スロットマシン１では、このようなスロットマシン遊技に同期した遊技演出も行われる。例えば、ＡＲＴなどへの移行を示す画像演出、ファンファーレ音、及びランプ演出などがそれぞれ、液晶ＴＶなどの表示器８（表示手段）、スピーカ９、及びＬＥＤ等の発光手段を備えるランプ１１などの報知手段を介して出力される。
このような報知手段は、副制御部２０により制御される。また、副制御部２０は、主制御部１０から所定の遊技タイミングごとに受信する制御コマンドに基づいてこれらを制御する。
【００６６】
副制御部２０は、演出制御手段の一例であり、主制御部１０からの指令に従った動作を実行可能に構成される。
例えば、副制御部２０は、主制御部１０に設けられた出力ポートなどの送信手段から所定の遊技タイミングごとに送信される制御コマンドを、当該副制御部２０に備える入力ポートなどの受信手段を介して受信するとともに、受信した制御コマンドを解読し、制御コマンドに応じた演出を行うように表示器８などの報知手段を制御する。
【００６７】
スロットマシン１は、このような通常のスロットマシンと同様の構成に加えて、以下に示す特徴を有している。
【００６８】
具体的には、前述のＡＲＴ抽選処理が実行された場合、その当否の結果を、報知手段により報知する。
このとき、当否結果の報知に先立ち、遊技者が操作可能な操作手段への操作を促す画像として操作手段の表示を含む操作画像を表示器８に表示する。この表示に従って遊技者がその操作手段を操作したときに、当否の結果が報知される。
【００６９】
スロットマシン１は、このような操作画像の表示を行うときに、その表示態様において特徴を備えている。
具体的には、表示態様と当否結果とが相関関係を有しており、例えば、遊技者に操作を促す操作手段を表示器８に表示する表示態様において、その操作手段の表示を含むスロットマシン１の表示範囲が広いほど、当選の期待度が高いように設定されている。
【００７０】
ここで、当否結果の報知に先立って遊技者が操作可能な操作手段について説明する。
操作手段としては、前述のベットボタン２ａに加え、表示器ボタン１２、レバー１３、演出用ボタン１４を備えている。
各操作手段はそれぞれ、図２０に示すように、遊技者が操作可能なようにスロットマシン１の前扉１ａに配置されている。
例えば、表示器ボタン１２は、スロットマシン１の上部であって、表示器８の前面に配置され、レバー１４は、表示窓６の右側に配置され、ベットボタン２ａは、メダル投入口２、スタートレバー３、及び停止ボタン５などのスロットマシン遊技の進行に係る操作手段を有する操作部Ｓに配置され、演出用ボタン１４は、スロットマシン１の下部であって、装飾パネルＰの一角（右下）に配置されている。
各操作手段にはセンサなどの検知手段が設けられ、各操作手段はそれぞれがこの検知手段を介して副制御部２０に接続されている（図２２参照）。
また、各操作手段は、図２３〜２６に示すように、遊技者の操作を検知可能に構成されている。
【００７１】
具体的には、表示器ボタン１２は、図２３に示すように、表示器８の前面を覆う透明な板状部材で形成され、スロットマシン前面側からの押し込み操作を受け付け可能に構成されている。
表示器ボタン１２は、副制御部２０によって押し込み操作可能な状態と押し込み操作不能な状態とに制御される。例えば、副制御部２０に接続されるソレノイド１２１を備え、図２３（ａ）に示すように、ソレノイド１２１が「オフ」のときに、押し込み操作不能な状態となり、図２３（ｂ）に示すように、ソレノイド１２１が「オン」のときに、押し込み操作可能な状態となる。
押し込み操作可能な状態のときに、スロットマシン前面側から表示器ボタン１２を押し込むように操作することで、図２３（ａ）に示す状態から図２３（ｂ）に示す状態に変位し、その変位が検知手段により検知されるとともに、その検知信号が副制御部２０に伝送されることにより、遊技者の操作が検知される。また、無負荷状態では、図２３（ａ）に示す状態に復元する。
表示器ボタン１２は、表示器８の前面を覆う板面全体で遊技者の押し込み操作を受け付け可能に構成され、例えば、片手のみならず、両手での押し込み操作を受け付けることもでき、その受け付け面積（操作領域）は、操作手段２ａ，１２〜１４の中で最も広い。
また、押し込み操作に係る操作量Ａ（変位量）は、例えば、１５ｍｍであり、操作手段２ａ，１２〜１４の操作量の中で最も大きい。
なお、表示器ボタン１２は、押し込み操作不能な状態となることなく、ソレノイド１２１を取り除くなどして、常時、押し込み操作可能な状態となるように構成することもできる。
【００７２】
レバー１３は、図２４に示すように、棒状のレバー部材で形成され、遊技者の傾動操作を受け付け可能に構成されている。
レバー１３は、常時傾動操作可能に構成され、図２４（ａ）に示す状態において、レバー１３を下方に押し下げる傾動操作を行うと、図２４（ｂ）に示す状態に変位し、その変位が検知手段により検知されるとともに、その検知信号が副制御部２０に伝送されることにより、遊技者の操作が検知される。また、無負荷状態では、図２４（ａ）に示す状態に復元する。
レバー１３は、遊技者が取手を片手で握って操作するように構成され、その操作の受け付け面積（操作領域）は、操作手段２ａ，１２〜１４の中で、表示器ボタン１２の次に広い。
また、傾動操作に係る操作量Ｂ（変位量）は、例えば、１０ｍｍであり、操作手段２ａ，１２〜１４の操作量の中で、表示器ボタン１２の次に大きい。
【００７３】
ベットボタン２ａ（いわゆるＭＡＸベットボタン）は、図２５に示すように、ボタン部材で形成され、遊技者の押下操作を受け付け可能に構成されている。
ベットボタン２ａは、常時押下操作可能に構成され、図２５（ａ）に示す状態において、ベットボタン２ａを押圧する押下操作を行うと、図２５（ｂ）に示す状態に変位し、その変位が検知手段により検知されるとともに、その検知信号が副制御部２０に伝送されることにより、遊技者の操作が検知される。また、無負荷状態では、図２５（ａ）に示す状態に復元する。
ベットボタン２ａは、遊技者が指で操作するように構成され、その操作の受け付け面積（操作領域）は、操作手段２ａ，１２〜１４の中で、レバー１３の次に広い。
また、押下操作に係る操作量Ｃ（変位量）は、例えば、８ｍｍであり、操作手段２ａ，１２〜１４の操作量の中で、レバー１３の次に大きい。
【００７４】
演出用ボタン１４は、図２６に示すように、ボタン部材で形成され、遊技者の押下操作を受け付け可能に構成されている。
演出用ボタン１４は、副制御部２０により押下操作可能な状態と押下操作不能な状態に制御される。例えば、副制御部２０に接続されるモータを備え（不図示）、モータ非作動時では、図２６（ａ）に示すように、可動台座１４１が装飾パネルＰ内に収容され、押下操作不能な状態となり、モータ作動時では、図２６（ｂ）に示すように、可動台座１４１が装飾パネルＰから突出し、押下操作可能な状態となる。
押下操作可能な状態のときに、演出用ボタン１４を押圧する押下操作を行うと、図２６（ｃ）に示す状態から図２６（ｄ）に示す状態に変位し、その変位が検知手段により検知されるとともに、その検知信号が副制御部２０に伝送されることにより、遊技者の操作が検知される。また、無負荷状態では、図２６（ｃ）に示す状態に復元する。
演出用ボタン１４は、遊技者が指で操作するように構成され、その操作の受け付け面積（操作領域）は、操作手段２ａ，１２〜１４の中で最も狭い。
また、押下操作に係る操作量Ｄ（変位量）は、例えば、５ｍｍであり、操作手段２ａ，１２〜１４の操作量の中で最も小さい。
【００７５】
ここで、操作手段２ａ，１２〜１４の操作面積及び操作量についてまとめると、操作面積に関しては、表示器ボタン１２が最も広く、表示器ボタン１２＞レバー１３＞ベットボタン２ａ＞演出用ボタン１４の関係を有しており、操作量（変位量）に関しては、表示器ボタン１２が最も大きく、表示器ボタン１２＞レバー１３＞ベットボタン２ａ＞演出用ボタン１４の関係を有している。また、操作量（変位量）が大きいほど、初期位置（復元位置）から操作完了位置（操作検知位置）までの変位に要する時間も長くなる傾向がある。
なお、各操作手段に規定された操作量の操作を行うことにより（操作可動範囲一杯に操作することにより）、各検知手段が対応する操作手段の操作を検知するようにしているが、規定された操作量の操作を行わなくても（操作途中でも）、各検知手段が対応する操作手段の操作を検知するようにしてもよい。なお、規定された操作量の操作を行わずに（操作途中に）各検知手段が対応する操作手段の操作を検知する場合でも、初期位置から操作が検知されるまでの操作量は、１２＞１３＞２ａ＞１４の順であることが好ましいがこの限りではない。
【００７６】
以上説明したような操作手段２ａ，１２〜１４が、操作手段への操作を促す操作画像の中で表示される。
ここで、操作画像について説明する。
図２７は、表示手段の一例である表示器８において、当否結果の報知に先立って表示される画像であって、各操作手段２ａ，１２〜１４への操作を促す操作画像の一例である。
【００７７】
例えば、図２７（ａ）は、表示器ボタン１２への操作を促す操作画像であり、この画像には、表示器ボタン１２を含むスロットマシン１全体を表す部位表示８１ａと、「表示器を押せ」のメッセージ表示８２と、スロットマシン１における表示器ボタン１２の位置を示すマーク表示８３（例えば、矢印）と、が表示される。
また、図２７（ｂ）は、レバー１３への操作を促す操作画像であり、この画像には、レバー１３を含むスロットマシン１の一部であって表示窓６の周辺、操作部Ｓ及び装飾パネルＰを表す部位表示８１ｂと、「レバーを引け」のメッセージ表示８２と、スロットマシン１におけるレバー１３の位置を示すマーク表示８３（例えば、矢印）と、が表示される。
また、図２７（ｃ）は、ベットボタン２ａへの操作を促す操作画像であり、この画像には、ベットボタン２ａを含むスロットマシン１の一部であって操作部Ｓを表す部位表示８１ｃと、「ベットボタンを押せ」のメッセージ表示８２と、スロットマシン１におけるベットボタン２ａの位置を示すマーク表示８３（例えば、矢印）と、が表示される。
また、図２７（ｄ）は、演出用ボタン１４への操作を促す操作画像であり、この画像には、演出用ボタン１４を含むスロットマシン１の一部であって可動台座１４１を上方から見た画像を表す部位表示８１ｄと、「演出用ボタンを押せ」のメッセージ８２表示とが表示され、スロットマシン１における演出用ボタン１４の位置を示すマークは表示されない。
このように、本実施形態では、複数の操作手段２ａ，１２〜１４それぞれへの操作を促す操作画像が当否結果の報知に先立って表示されることから、操作画像についての興趣を高めることができる。
なお、このような操作画像は、一回のスロットマシン遊技が終了する前、すなわち、スタートレバー３が操作されリール４１が回転を開始してから、すべてのリール４１が停止するまでのいずれかの期間に表示されるが、スタートレバー３の操作直後であって内部抽選処理の実行後に表示されることが好ましい。
また、部位表示８１ａ〜８１ｄに用いる画像は、遊技機を実写した写真（例えば、部位表示８１ａは筐体の写真）でもよいし、イラスト（例えば、部位表示８１ａは筐体のイラスト）、ＣＧ（例えば、部位表示８１ａは筐体のＣＧ）等でもよい。
【００７８】
また、各操作手段２ａ，１２〜１４への操作を促す操作画像は、その表示態様において以下のような違いがある。
具体的には、部位表示８１において、スロットマシン１の全体（正面全体）を表示するか又はその一部を表示するか、また、その一部を表示する場合にはその範囲が広いか狭いかというように、部位表示８１に表示されるスロットマシン１の表示範囲に違いを有している。
例えば、図２７（ａ）に示す表示器ボタン１２を含む操作画像では、部位表示８１ａにおいてスロットマシン１全体が表されていることから、図２７（ｂ）に示すレバー１３を含む操作画像の部位表示８１ｂよりも、部位表示８１に表示されるスロットマシン１の範囲が広く、つまり、部位表示８１に表示されるスロットマシン１の部位が多い。
同様な傾向は、図２７（ｃ）以降にも云えることであり、操作画像において、図２７（ａ）に示す部位表示８１ａが最も広く（多く）、８１ａ＞８１ｂ＞８１ｃ＞８１ｄ（＝図２７（ａ）＞図２７（ｂ）＞図２７（ｃ）＞図２７（ｄ））の関係を有している。
【００７９】
そして、このような部位表示８１の広狭（多少）と、当否結果とに相関を持たせることが好ましい。
例えば、部位表示８１において表示されるスロットマシン１の表示範囲が広いほど、つまり、表示されるスロットマシン１の部位が多くなるほど、当選の期待度が高くなるように設定することが好ましい。
【００８０】
このような設定は、操作画像抽選テーブルにおける数値設定により実現される。
図２８は、操作画像抽選処理の実行時に参照される操作画像抽選テーブルを示す図表である。
操作画像抽選処理とは、ＡＲＴ抽選処理の抽選結果に基づいて実行される処理であり、表示器８に表示される操作画像を抽選により決定する処理である。
この操作画像抽選処理では、ＡＲＴ抽選処理の抽選結果が当選のときには（当選時）、図２８（ａ）に示す操作画像抽選テーブルを参照して抽選が行われ、ＡＲＴ抽選処理の抽選結果が非当選のときには（ハズレ時）、図２８（ｂ）に示す操作画像抽選テーブルを参照して抽選が行われる。
【００８１】
各操作画像抽選テーブルにおいて抽選対象として設定される操作画像には、図２７の各図に示した「表示器ボタン」（ａ）、「レバー」（ｂ）、「ベットボタン」（ｃ）、「演出用ボタン」（ｄ）に加え、「全操作」がある。
「全操作」とは、例えば、図２７の（ｄ）〜（ａ）の順に、操作画像を順次切り替えて表示するという画像であり、この切り替え表示に従って各操作手段２ａ，１２〜１４すべてを操作するように促す操作画像である。なお、操作手段２ａ，１２〜１４のうち一部であって複数の操作手段を一斉に（ほぼ同時に）操作する操作画像があってもよい。
また、「全操作」を、図２７の（ａ）〜（ｄ）の順に、操作画像を順次切り替えて表示する操作画像としてもよい。
【００８２】
また、各操作画像の出現率は、各操作画像抽選テーブルにおいてそれぞれ設定されている。例えば、「全操作」は、当選時に参照される操作画像抽選テーブルでは、５／１００の割合で出現するように設定され、ハズレ時に参照される操作画像抽選テーブルでは、０／１００の割合で出現、つまり、出現しないように設定されている。
また、例えば、「演出用ボタン」は、当選時に参照される操作画像抽選テーブルでは、５／１００の割合で出現するように設定され、ハズレ時に参照される操作画像抽選テーブルでは、４０／１００の割合で出現するように設定されている。
このように、各操作画像の出現率は当選時とハズレ時とで分けて設定されている。
なお、表中における出現率は、一例であり、適宜変更可能である。
【００８３】
このような各操作画像の出現率の設定に基づいて、各操作画像が表示器８に表示されたときのＡＲＴ当選の期待度が算出される。
各操作画像が表示器８に表示されたときの当選期待度は、当選時とハズレ時のトータルの出現率に占める当選時の出現率の割合として算出され、具体的には、当選期待度＝当選時出現率÷（当選時出現率＋ハズレ時出現率）により算出される。
このように算出された各操作画像が表示されたときの当選期待度を図２８（ｃ）に示す。
例えば、「全操作」が操作画像として表示器８に表示されたときには、当選期待度が１００％となり、これが表示された時点で、ＡＲＴ当選が確定する。
また、「表示器ボタン」が操作画像として表示器８に表示されたときには、当選期待度が８３％となり、これが表示された時点で、ＡＲＴ当選の確率がかなり高いことが示唆される。
また、「レバー」が操作画像として表示器８に表示されたときには、当選期待度が５０％となり、これが表示された時点では、ＡＲＴ当選と非当選の確率が半々であることが示唆される。
また、「ベットボタン」が操作画像として表示器８に表示されたときには、当選期待度が３３％となり、これが表示された時点では、ＡＲＴ当選の確率が約１／３であることが示唆される。
また、「演出用ボタン」が操作画像として表示器８に表示されたときには、当選期待度が１１％となり、これが表示された時点では、ＡＲＴ当選の確率が低いことが示唆される。
このように、本実施形態では、操作画像の部位表示８１において表示されるスロットマシン１の表示範囲が広いほど、つまり、表示されるスロットマシン１の部位が多くなるほど、ＡＲＴ当選の期待度が高くなるように設定されている。
【００８４】
さらに、本実施形態では、操作面積に関して、表示器ボタン１２が最も広く、表示器ボタン１２＞レバー１３＞ベットボタン２ａ＞演出用ボタン１４の関係を有していることから、操作面積が広いほど、当選の期待度が高くなるように設定されていることになる。
また、操作量に関して、表示器ボタン１２が最も大きく、表示器ボタン１２＞レバー１３＞ベットボタン２ａ＞演出用ボタン１４の関係を有していることから、操作量が大きいほど、当選の期待度が高くなるように設定されていることになる。
また、操作完了（操作検知）までに要する時間に関して、「全操作」が最も長く、「全操作」＞表示器ボタン１２＞レバー１３＞ベットボタン２ａ＞演出用ボタン１４の関係を有していることから、操作完了までに要する時間が長いほど、当選の期待度が高くなるように設定されていることになる。
さらに、操作画像に表示される操作手段のスロットマシンにおける位置に関して、操作手段がスロットマシンの上部に位置するほど、当選の期待度が高くなるように設定されていることになる。
【００８５】
このように、本実施形態では、部位表示８１において表示されるスロットマシン１の表示範囲が広いほど、操作面積が広いほど、操作量が大きいほど、操作完了までに要する時間が長いほど、操作手段がスロットマシンの上部に位置するほど、ＡＲＴ当選の期待度が高く設定されるというように、表示範囲、操作面積、操作量、操作完了までに要する時間、及びスロットマシンにおける位置などの物理量と、当選期待度とに相関関係を有している。
このような相関関係を持たせることにより、当否結果の報知に先立ち、操作画像において表示される操作手段やスロットマシンの表示範囲を遊技者が注視することになり、興趣を高めることができる。
【００８６】
なお、本実施形態では、好ましい実施形態として、表示範囲が広いほど、操作面積が広いほど、操作量が大きいほど、操作完了までに要する時間が長いほど、操作手段がスロットマシンの上部に位置するほど、当選の期待度が高くなるという正の相関関係を有するように設定したが、一部の物理量に違いがあっても、当選の期待度を同じとしてもよく（例えば、「全操作」と「表示器ボタン」の期待度が同じなど）、また、表示範囲が狭いほど、操作面積が狭いほど、操作量が小さいほど、操作完了までに要する時間が短いほど、操作手段がスロットマシンの下部に位置するほど、当選の期待度が高く設定されるという負の相関関係を有するように設定することもできる。
また、操作画像抽選テーブルにおける各操作画像の出現率を均等にするなどして、このような物理量と当選期待度とに相関関係を持たせないようにすることもできる。
【００８７】
また、操作画像を表示するときの演出は、特定の演出タイミングにおいて実行される上述の操作画像抽選処理により決定されることが好ましい。
ただし、演出自体が異なることにより選択される操作手段も異なってもよく、つまり、演出によって選択され得る操作画像が異なってもよい。
例えば、演出Ａでは表示器ボタン１２の操作画像や、レバー１３の操作画像等、複数の操作手段の操作画像がそれぞれ選択されるような場合があり、演出Ｂでは表示器ボタン１２の操作画像のみが固定的に選択され、演出Ｃではレバー１３の操作画像のみが固定的に選択される場合がある等、操作画像を表示する演出として、複数の操作手段（操作画像）が選択される演出が存在する場合と、各操作手段（操作画像）に対応する固有の演出が存在する場合があってもよく、また、これらの演出が混在してもよい。
【００８８】
また、このようなスロットマシンの表示範囲、操作面積、操作量、操作時間、及び位置などの物理量に着目することなく、操作画像におけるマーク表示８３の有無に着目して、マーク表示８３の有無と、当選の期待度とに相関関係を持たせることもできる。
つまり、操作画像において、スロットマシン１における各操作手段２ａ，１２〜１４の位置を示すマーク表示８３が表示されている場合と非表示の場合とで、当選の期待度に違いを持たせることもできる。
【００８９】
例えば、操作画像において、図２７（ａ）〜（ｃ）に示すように、マーク表示８３が表示されているときには、図２７（ｄ）に示すように、マーク表示８３が表示されていないときよりも、当選の期待度を高く設定することもできる。
本実施形態では、上記の物理量を度外視した場合においても、図２８（ｃ）に示すように、マーク表示８３を有する「表示器ボタン」、「レバー」、及び「ベットボタン」の操作画像が表示される方が、マーク表示８３を有さない「演出用ボタン」の操作画像が表示されるよりも、当選の期待度が高く設定されている。
このように、操作画像におけるマーク表示８３の有無に応じて当選の期待度に違いを持たせることにより、遊技者の目を操作画像に注視させることができ、興趣を高めることができる。
【００９０】
なお、本実施形態では、好ましい実施形態として、マーク表示８３が表示されているときの方が、マーク表示８３が表示されていないときよりも、当選の期待度を高くなるという正の相関関係を有するように設定したが、マーク表示８３が表示されていないときの方が、マーク表示８３が表示されているときよりも、当選の期待度を高くなるという負の相関関係を有するように設定することもできる。
【００９１】
また、図２８に示す各操作画像抽選テーブルにおいて、各操作画像にマーク表示８３の有無を項目（抽選対象）として追加するとともに、それぞれの項目に出現率を設定することもできる。これにより、同じ操作手段を含む操作画像であってもマーク表示８３の有無に応じて当選の期待度を異ならせることもできる。このとき、操作画像がそれぞれ異なるものの、マーク表示８３が共に表示される二つの操作画像がある場合には、スロットマシンの表示範囲が広いほど、操作面積が広いほど、操作量が大きいほど、操作完了までに要する時間が長いほど、操作手段がスロットマシンの上部に位置するほど、当選の期待度を高く設定することが好ましい。
【００９２】
以上のような操作画像が表示器８に表示されたときに、遊技者が操作画像に表示された操作手段を操作することにより、ＡＲＴ抽選処理における当否の結果として表示器８に特別画像が表示されることになる。
ＡＲＴ抽選処理に当選したときには、特別画像として、例えば、「ＡＲＴ確定」などのメッセージが表示器８に表示される。また、このとき、当選を祝福するファンファーレ音をスピーカ９から出力することが好ましい。
また、ＡＲＴ抽選処理に非当選、すなわち、「ハズレ」のときには、特別画像として、例えば、「残念」などのメッセージが表示器８に表示される。
なお、本実施形態では、操作画像が表示された場合、遊技者が操作画像に表示された操作手段を所定時間（例えば、５秒）以内に操作しなかったときには、上記のような特別画像を表示しないこととする。これにより、ＡＲＴ抽選処理における当否の結果は、次回以降のゲームにおいて知得可能であるものの、いち早く知得したいという遊技者の要求に答えるとともに、積極的に遊技に参加させることで、遊技者を退屈させずに遊技に集中させることができる。
また、上記に限らず、遊技者が操作画像に表示された操作手段を所定時間（例えば、５秒）以内に操作しなかったときでも、所定時間経過後に特別画像を表示させてもよい。
【００９３】
また、「全操作」では、図２７の（ｄ）〜（ａ）の順又は（ａ）〜（ｄ）の順に、操作画像を順次切り替えて表示するが、この切り替え表示は、各操作画像に表示された操作手段が遊技者の操作を受け付けたことを条件に、順次切り替わることが好ましく、各操作画像に表示された操作手段がすべて操作されて初めて、特別画像が表示されることが好ましい。この場合、遊技者が操作画像に表示された操作手段を所定時間（例えば、５秒）以内に操作しなかったときには、次の操作手段に係る操作画像が表示されず、最終的に特別画像も表示されないことになるが、特別画像の表示は行ってもよい。
なお、操作画像に対応しない操作手段への操作で操作画像が順次切り替わるようにしてもよい。
また、「全操作」では、操作画像の切り替えタイミングを上記のように操作手段が遊技者の操作を受け付けたときとすることなく、所定時間ごとに順次切り替え表示を行ってもよい。この場合、「全操作」に係る一連の操作画像が表示されている間であれば、現に表示中の操作画像に対応する操作手段に限らず、どの操作手段を操作しても、特別画像が表示されるようにすることが好ましい。
【００９４】
以上説明したような操作画像の表示は、以下に示す操作画像表示処理の実行により実現される。この処理は、主制御部１０や副制御部２０に備えるＲＯＭなどの記憶手段にプログラムとして記憶されており、主制御部１０や副制御部２０に備えるＣＰＵがそれぞれ又は協働してこれを実行することにより、表示器８に操作画像が表示されることになる。
図２９は、このプログラムの流れを示すフローチャートである。
【００９５】
この処理では、まず、ＡＲＴ抽選条件が成立したか否かの判定を行う（Ｓ１）。例えば、通常遊技状態において、所定の小役（例えば、チェリー，スイカなどのレア小役）に当選したことなどをＡＲＴ抽選条件とすることができる。
次いで、ＡＲＴ抽選条件が成立した場合には（Ｓ１−Ｙｅｓ）、ＡＲＴ抽選処理を実行する（Ｓ２）。この抽選処理では、当選した小役に応じて当否の重みづけがされており、例えば、当選頻度の低い小役に当選したときほど、ＡＲＴ当選率が高くなるように設定されている。
次いで、このＡＲＴ抽選処理の当否結果に基づいて、表示器８に表示される操作画像を抽選により決定する操作画像抽選処理を実行する（Ｓ３）。
この操作画像抽選処理では、ＡＲＴ抽選処理において当選したときには、図２８（ａ）に示す操作画像抽選テーブルを参照して抽選を行い、ＡＲＴ抽選処理において非当選、すなわち「ハズレ」が決定されたときには、図２８（ｂ）に示す操作画像抽選テーブルを参照して抽選を行い、当否の結果と操作画像抽選テーブルにおいて設定された出現率とに基づいて、「全操作」、「表示器ボタン」、「レバー」、「ベットボタン」、及び「演出用ボタン」の操作画像（図２７参照）の中からいずれかの操作画像を決定する。
続いて、操作画像抽選処理において決定された操作画像を表示器８において表示する（Ｓ４）。
そして、操作画像に表示された操作手段２ａ，１２〜１４が所定時間内に操作されたか否かの判定を行い（Ｓ５）、操作されたときには（Ｓ５−Ｙｅｓ）、ＡＲＴ抽選処理の抽選結果として特別画像を表示する（Ｓ６）。例えば、抽選結果に係る特別画像として、ＡＲＴ抽選処理に当選したときには、「ＡＲＴ確定」などのメッセージを表示器８に表示するとともに、当選を祝福するファンファーレ音をスピーカ９から出力する。一方、ＡＲＴ抽選処理において「ハズレ」が決定されたときには、「残念」などのメッセージを表示器８に表示する。
なお、本実施形態では、所定時間内に操作されなかったときには（Ｓ５−Ｎｏ）、抽選結果を表示しないこととしたが、抽選結果を表示してもよい。
また、操作画像抽選処理において、「全操作」、「表示器ボタン」、「レバー」、「ベットボタン」、及び「演出用ボタン」を抽選対象としたが、「操作画像の非表示」を抽選対象に含め、これに当選したときには、他の画像を表示してもよい。
なお、本実施形態では、小役に当選したゲームにおいて、上記操作画像表示処理を行うことで、操作画像を表示するようにしているが、Ｓ３以降の処理を次ゲーム以降に行うことで、操作画像を表示するようにしてもよい。
【００９６】
以上説明したように、本発明の第２実施形態のスロットマシン１によれば、所定のタイミングにおいて複数の操作手段それぞれに対応する操作画像を表示するので、操作画像のバリエーションを増加させることができ、飽きの来ない遊技性を提供することができる。また、スロットマシンの表示範囲や、操作面積、操作量などの物理量と、ＡＲＴなどの特定遊技状態への移行をかけた抽選処理における当否とが相関関係を有することにより、遊技者に対して期待度の高低を容易に認識させることができるとともに、遊技者を操作画像に注目させることができ、興趣を高めることができる。
また、スロットマシン１における各操作手段２ａ，１２〜１４の位置を示すマーク表示８３の有無と、ＡＲＴなどの特定遊技状態への移行をかけた抽選処理における当否とが相関関係を有することにより、遊技者に対して期待度の高低を容易に認識させることができるとともに、遊技者を操作画像に注目させることができ、興趣を高めることができる。
【００９７】
一方、従来の遊技機は、操作手段への操作を促す操作画像の表示を行うものはあるものの、操作画像の表示態様によって特定遊技状態に移行する期待度が異ならせたものはなく、興趣に欠けていた。
以上のように、本発明の第２実施形態のスロットマシン１によれば、従来の遊技機が改善すべきこのような課題の全部又は一部などを解決することができる。
【００９８】
以上、本発明の遊技機の好ましい実施形態について説明したが、本発明に係る遊技機は上述した実施形態にのみ限定されるものではなく、本発明の範囲で種々の変更実施が可能であることはいうまでもない。
【００９９】
例えば、第１実施形態において、透明なランプカバー内に、実際の布でできた幕やカーテンを封入することによって、よりリアルなステージとして見せることができる。
また、表示ユニット１００は、液晶表示装置ではなく、例えば、識別情報や図形情報を施した一又は複数の導光板を備えた表示装置を用いることもできる。
例えば、このような表示装置において、光源であるＬＥＤの点灯制御を行い、これにより対応する画像を切り換えて表示することによって、同様の表示演出を行うことができる。
【０１００】
また、第２実施形態において、操作手段については、以下のような構成を変形実施例とすることができる。
具体的には、本実施形態では、４つの操作手段２ａ，１２〜１４を設けたが、３つ以下設けても、５つ以上設けてもよい。
また、４つの操作手段２ａ，１２〜１４それぞれを異なる形状・大きさとしたが、同じ形状・大きさの操作手段を複数備えるようにしてもよい。
また、操作手段として、装飾パネルＰを表示器ボタン１２と同様に、押圧するタイプのものを採用してもよい。
また、操作手段として、タッチセンサ（タッチするもの）を採用してもよい。
また、操作手段として、ジョグダイアル等の回転操作するものを採用してもよい。
また、操作手段として、押圧に限らず、引き出すもの（レバーなど）を採用してもよい。
また、本実施形態では、操作画像に表示される操作手段がスロットマシン１の上部に位置するほど当選の期待度が高くなるように設定したが、下部に位置するほど期待度が高くなるようにしてもよいし、このような位置関係を考慮せずに、設定してもよい。
また、全操作手段の間で当選の期待度が異なるようにしたが、一部又は全部で同じ期待度としてもよい。
また、操作画像において、スロットマシン１（筐体）の大部分を表示すれば当選の期待度が高くなるようにしたが、大部分を表示するほど期待度が低くなるようにしてもよい。
また、スロットマシン１（筐体）の大部分を表示するか否かを、当選の期待度に反映させなくてもよい。
また、演出用ボタン１４については、その位置が分かりづらいので、操作画像として、図２７（ｅ）に示すように、スロットマシン１全体を表示した上で（部位表示８１ａ）、その表示のどこに存在するのかをマーク表示８３により示すとともに、押下操作を促すこともできる。
なお、１つの操作手段について、例えば、演出用ボタン１４について、図２７（ｄ）に示す操作画像と、図２７（ｅ）に示す操作画像のように、スロットマシン１の一部のみを表示する場合と、スロットマシン１全体を表示する場合とを実行可能とし、スロットマシン１全体を表示する場合の方が、その一部を表示する場合よりも期待度が高い、又は、低いようにしてもよい。
【０１０１】
また、操作画像については、以下のような構成を変形実施例とすることができる。
具体的には、操作画像として、各操作手段それぞれへの操作を促す操作画像と、全ての操作手段への操作を促す「全操作」があるが、２以上の操作手段への操作を促す操作画像の表示を行うようにしてもよい。
また、２以上の操作手段への操作を促す操作画像を行う場合、促された操作手段の数が多ければ多いほど、期待度を高くしたり、低くしたりすることができる。
また、実際に操作させたい操作手段を示す操作画像とは異なるダミーの操作画像の表示を行ってから、実際（真）の操作画像の表示を行うようにしてもよい（例えば、図２７（ｄ）の操作画像から図２７（ｂ）の操作画像への切り替え表示など）。このとき、ダミーで表示する操作画像が実際（真）の操作画像に変化しても違和感のないように操作画像の内容や操作手段のデザインに関連性を持たせておくことが望ましい（例えば、図２７（ｂ）の操作画像は図２７（ｄ）の操作画像を含むように構成され、演出用ボタン１４のデザインがレバー１３の一部にも使用されているなど）。
また、表示器８上で、操作画像が表示される位置によって期待度が異なるようにしてもよい。
また、操作画像を表示した際に、表示器８上に表示されている操作手段を発光させる表示を行い、さらに現物の操作手段に設けた発光手段（例えば、ＬＥＤ）も同期して発光させる（例えば、点滅間隔や色等を揃える）ようにしてもよい。
また、表示器８上においてカメラのズームイン、ズームアウトのように対象となる操作手段を注視させる演出を行ってもよい。
【０１０２】
また、以上の他に、以下のような構成を変形実施例とすることができる。
具体的には、一の操作手段への操作完了から所定時間内に他の操作手段を操作させる切り替え画像演出を行ってもよい。特に、当該演出を物理的に距離が遠い操作手段間で行う場合には期待度が高くなるようにしてもよい。
また、各操作手段の使用有無、頻度等を遊技者又はホール係員が設定できるようにしてもよい。
また、通常は各操作画像の表示に際して出力される音声が異なるように設定しておき、特定の場合にだけ一の操作画像に対応する音声を他の操作画像に対応する音声として出力してもよい。
また、通常は操作画像に応じて各操作手段を操作したときに出力される音声が異なるように設定しておき（例えば、操作手段ごとに固有の音声を出力するなど）、特定の場合にだけ一の操作手段への操作に対応する音声を他の操作手段への操作に対応する音声として出力してもよい。
また、特別画像をＡＲＴ抽選処理の抽選結果の表示としたが、ボーナス抽選結果の表示、ＡＲＴ上乗せゲーム数の抽選結果の表示など、遊技者に有利な特典の付与に係る他の表示とすることができる。
つまり、操作画像が表示されるタイミングは、ＡＲＴ抽選処理の抽選に係るタイミングに限らず、遊技者に有利な特典の付与に先立つタイミングであればよい。
【０１０３】
また、本発明をスロットマシンに適用したがパチンコ（例えば、玉スロ）などその他の遊技機に適用することもできる。
また、メダル、遊技球等の現物の遊技媒体を用いることなく、データ形式の擬似遊技媒体を用いてゲームを実行可能な、いわゆる封入式遊技機にも、本発明を適用することができる。
【０１０４】
また、可変表示手段としてモータにより駆動制御されるリールを用いたが、これに代えて又はこれに加えて、液晶表示器などの表示器にリール等の図柄が変動する画像を表示させることにより、表示器を識別情報の可変表示手段として用いることもできる。
【符号の説明】
【０１０５】
１  スロットマシン
１ａ  前扉
６  表示窓
Ｌ  装飾部材
Ｌ１  左側装飾部
Ｌ１ａ  左第１装飾部
Ｌ１ｂ  左第２装飾部
Ｌ１３  左絞り部
Ｌ２  右側装飾部
Ｌ２ａ  右第１装飾部
Ｌ２ｂ  右第２装飾部
Ｌ２３  右絞り部
Ｌ３  上装飾部
Ｌ３１  上第１装飾部（上第１膨出部）
Ｌ３２  上第２装飾部（上第２膨出部）
Ｌ３３  上絞り部
Ｌ４  中央装飾部
Ｌ１１  段部
Ｌ１２  膨出部
Ｌ４１  側距センサ
Ｌ４２  カバー部
Ｓ  特定領域
Ｍ  ユニットフレーム
Ｎ  連通部
Ｐ  凸部
Ｑ  爪部
【図１】
2019005441.tif 000003
【図２】
2019005441.tif 000004
【図３】
2019005441.tif 000005
【図４】
2019005441.tif 000006
【図５】
2019005441.tif 000007
【図６】
2019005441.tif 000008
【図７】
2019005441.tif 000009
【図８】
2019005441.tif 000010
【図９】
2019005441.tif 000011
【図１０】
2019005441.tif 000012
【図１１】
2019005441.tif 000013
【図１２】
2019005441.tif 000014
【図１３】
2019005441.tif 000015
【図１４】
2019005441.tif 000016
【図１５】
2019005441.tif 000017
【図１６】
2019005441.tif 000018
【図１７】
2019005441.tif 000019
【図１８】
2019005441.tif 000020
【図１９】
2019005441.tif 000021
【図２０】
2019005441.tif 000022
【図２１】
2019005441.tif 000023
【図２２】
2019005441.tif 000024
【図２３】
2019005441.tif 000025
【図２４】
2019005441.tif 000026
【図２５】
2019005441.tif 000027
【図２６】
2019005441.tif 000028
【図２７】
2019005441.tif 000029
【図２８】
2019005441.tif 000030
【図２９】
2019005441.tif 000031